【手続補正書】
【提出日】平成23年6月17日(2011.6.17)
【手続補正１】
【補正対象書類名】特許請求の範囲
【補正対象項目名】全文
【補正方法】変更
【補正の内容】
【特許請求の範囲】
【請求項１】
電気音響変換器を介して周囲の騒音を入力し、前記騒音を消去するキャンセル信号を生成して出力するキャンセル信号生成手段と、オーディオ信号と上記キャンセル信号とを出力するスピーカユニットと、を備えるノイズキャンセルヘッドホンであって、
上記スピーカユニットが有する２つの入力端子の第１の端子には上記キャンセル信号生成手段が接続され、第２の端子には上記オーディオ信号の音源が接続されることを特徴とするノイズキャンセルヘッドホン。
【請求項２】
上記スピーカユニットの第１の端子と上記キャンセル信号生成手段の間に第１の切り換え手段をさらに有し、この第１の切り換え手段は、上記第１の端子に上記キャンセル信号生成手段を接続するか、上記第１の端子を接地するか、を選択可能である請求項１記載のノイズキャンセルヘッドホン。
【請求項３】
上記第１の切り換え手段は、可動接点と、この可動接点で選択される第１の固定接点および第２の固定接点を有し、
上記可動接点は、上記スピーカユニットの第１の端子に接続され、
上記第１固定接点は、上記キャンセル信号生成手段に接続され、
上記第２固定接点は、接地されている請求項２記載のノイズキャンセルヘッドホン。
【請求項４】
上記スピーカユニットの第２の端子に音源を着脱可能に接続する音源入力端子をさらに有し、
上記音源入力端子は、上記音源が接続されていないとき信号線側接点が接地される端子である請求項１記載のノイズキャンセルヘッドホン。
【請求項５】
上記スピーカユニットの第２の端子は、上記音源の出力インピーダンスよりも大きく、当該スピーカユニットのインピーダンスよりは小さなインピーダンスとなる抵抗素子を介して接地されている請求項１記載のノイズキャンセルヘッドホン。
【請求項６】
上記可動接点が上記第２の固定接点側にあるときは、通常のヘッドホンとして機能する請求項３記載のノイズキャンセルヘッドホン。
【請求項７】
上記音源入力端子に上記音源が接続されていないときは、キャンセル信号のみを上記スピーカユニットから出力する請求項４記載のノイズキャンセルヘッドホン。
【請求項８】
上記音源から入力されるオーディオ信号を検出して制御信号を出力する音声信号検出手段と、上記音源と上記音声信号検出手段の間に設置され、上記第１の切り換え手段と連動する第２の切り換え手段と、上記音声信号検出手段の制御信号によって接点をメークする第１の電子スイッチと、上記音声信号検出手段の制御信号によって接点をブレークする第２の電子スイッチと、をさらに有し、
上記第２の切り換え手段の可動接点には上記音源が接続され、上記第２の切り換え手段の第１の固定接点には音声信号検出手段が接続され、上記第２の切り換え手段の第２の固定接点は上記スピーカユニットの第２の端子が接続されており、
上記第１の電子スイッチは音源と上記スピーカユニットの第２の端子との間に接続され、上記第２の電子スイッチは上記スピーカユニットの第２の端子と接地との間に接続されている請求項３記載のノイズキャンセルヘッドホン。
【請求項９】
上記音源から入力されるオーディオ信号を検出して制御信号を出力する音声信号検出手段と、上記音源と上記音声信号検出手段の間に設置され、上記第１の切り換え手段と連動する第２の切り換え手段と、
上記スピーカユニットの第２の端子と上記音源との間に設置され、上記第１の切り換え手段の可動接点が第２の固定接点側にあり、かつ、上記音声信号検出手段がオーディオ信号を検出したときに上記第２の端子と上記音源とを接続する電子切り換えスイッチと、をさらに有する請求項３記載のノイズキャンセルヘッドホン。
【請求項１０】
上記第１の切り換え手段の可動接点が、上記第１の切り換え手段の第１の固定接点に接続されているときは、上記第２の切り換え手段の可動接点は、上記第２の切り換え手段の第１の固定接点に接続され、上記第１の切り換え手段の可動接点が上記第１の切り換え手段の第２の固定接点に接続されているときは、上記第２の切り換え手段の可動接点は、上記第２の切り換え手段の第２の固定接点に接続されるよう構成されている請求項８に記載のノイズキャンセルヘッドホン。
【請求項１１】
上記音声信号検出手段がオーディオ信号を検出した場合、上記第１の電子スイッチをメークし、上記第２の電子スイッチをブレークして、上記音源から入力されるオーディオ信号が上記スピーカユニットの第２の端子に入力されるように構成されている請求項８記載のノイズキャンセルヘッドホン。
【請求項１２】
上記音源を上記スピーカユニットの第２の端子に着脱可能に接続する音源入力端子と、
音源から入力されるオーディオ信号を出力するヘッドホンアンプと、
上記スピーカユニットの第２の端子と上記ヘッドホンアンプ及び上記音源入力端子との間に第３の切り換え手段と、をさらに有し、
上記第３の切り換え手段は、上記第２の端子に、上記ヘッドホンアンプを接続するか、上記音源入力端子を接続するか、いずれかを選択可能である請求項１乃至３のいずれかに記載のノイズキャンセルヘッドホン。
【請求項１３】
上記第１の端子は、上記スピーカユニットのプラス端子であり、
上記第２の端子は、上記スピーカユニットのマイナス端子である請求項１乃至１２のいずれかに記載のノイズキャンセルヘッドホン。
【請求項１４】
上記第１の端子は、上記スピーカユニットのマイナス端子であり、
上記対２の端子は、上記スピーカユニットのプラス端子である請求項１乃至１２のいずれかに記載のノイズキャンセルヘッドホン。
【手続補正２】
【補正対象書類名】明細書
【補正対象項目名】０００２
【補正方法】変更
【補正の内容】
【０００２】
周囲の騒音をキャンセルしつつ、高音質の音楽を聴くことができるノイズキャンセルヘッドホンが望まれている。一般にノイズキャンセルヘッドホンは、ヘッドホン筐体等に周囲の騒音を集音するマイクロホンが備え付けられており、このマイクロホンが拾った騒音から、ヘッドホン筐体を通過して耳に聞こえる騒音を打ち消す信号（キャンセル信号）を生成するキャンセル信号生成回路と、音楽信号とキャンセル信号を合成して出力するミキサ回路を有している。このようなノイズキャンセルヘッドホンを利用するときに、利用者の周囲の状況を知らせる音（例えばサイレンやクラクションなど）がキャンセル信号によって打ち消されてしまうと、当該ヘッドホン利用者の安全性が損なわれる事態に繋がりかねない。そこで、利用者の安全を考慮して「周囲の状況を知らせる音」を、「利用者にとって興味深い音」として選択的に分離し、この「利用者にとって興味深い音」に対してはキャンセル信号を生成せずに、それ以外の音（集音マイクが集音した周囲騒音）に対してはキャンセル信号を生成することで、利用者の安全性を確保しつつ、快適に使用することができるノイズキャンセルヘッドホンが知られている（例えば特許文献１参照）。
【手続補正３】
【補正対象書類名】明細書
【補正対象項目名】０００３
【補正方法】変更
【補正の内容】
【０００３】
【特許文献１】特表２００４−５２６３７５号公報
【手続補正４】
【補正対象書類名】明細書
【補正対象項目名】０００４
【補正方法】変更
【補正の内容】
【０００４】
上記文献に記載されているノイズキャンセルヘッドホンに代表されるような従来のノイズキャンセルヘッドホンを用いてノイズキャンセル機能を動作させずに音楽のみを聴くことができるノイズキャンセルヘッドホンも知られている。このような動作切り換えが可能なノイズキャンセルヘッドホンは、キャンセル信号生成回路の動作をスイッチによってオンオフするものである。キャンセル信号生成回路の動作がオンオフするとミキサ回路の入力がオンオフされるので、その出力信号は、キャンセル信号生成回路の動作によって、特性が大きく相違することになる。すなわち、動作がオフの時は、音楽信号の音量が減衰したり、音質が悪化したりして本来の音楽信号と異なるものになってしまう。
【手続補正５】
【補正対象書類名】明細書
【補正対象項目名】０００９
【補正方法】変更
【補正の内容】
【０００９】
本発明は、電気音響変換器を介して周囲の騒音を入力し、前記騒音を消去するキャンセル信号を生成して出力するキャンセル信号生成手段と、オーディオ信号と上記キャンセル信号とを出力するスピーカユニットと、を備えるノイズキャンセルヘッドホンであって、上記スピーカユニットが有する２つの入力端子の第１の端子には上記キャンセル信号生成手段が接続され、第２の端子には上記オーディオ信号の音源が接続されることを主な特徴とする。
【手続補正６】
【補正対象書類名】明細書
【補正対象項目名】００１１
【補正方法】変更
【補正の内容】
【００１１】
また、本発明は、上記のノイズキャンセルヘッドホンにおいて、上記音源から入力されるオーディオ信号を検出して制御信号を出力する音声信号検出手段と、上記音源入力端子と上記音声信号検出手段の間に設置されて第１の切り換え手段と連動する第２の切り換え手段と、上記音声信号検出手段の制御信号によって接点をメークする第１の電子スイッチと、上記音声信号検出手段の制御信号によって接点をブレークする第２の電子スイッチとをさらに有し、上記第２の切り換えスイッチの可動接点は上記音源入力端子に接続され、第１の固定接点は音声信号検出手段に接続され、第２の固定接点は上記スピーカユニットの第２の端子に接続されており、上記第１の電子スイッチは音源と上記スピーカユニットの第２の端子に接続され、上記第２の電子スイッチは上記スピーカユニットの第２の端子と接地との間に接続された構成としてもよい。
【手続補正７】
【補正対象書類名】明細書
【補正対象項目名】００１８
【補正方法】変更
【補正の内容】
【００１８】
ノイズキャンセル用ヘッドホンアンプ１４は、キャンセル信号に所定の増幅処理を行なって、スピーカユニット１２を駆動する増幅回路である。上記ヘッドホンユニット１０に音楽信号を入力される音源３０は、ヘッドホンユニット１０に入力する音楽信号を再生する図示しない音楽再生手段を有し、再生した音楽信号に対して所定の処理（増幅など）を行なった後に出力する音楽再生用ヘッドホンアンプ３１と、音楽再生用ヘッドホンアンプ３１が出力した音楽信号をヘッドホンユニット１０に出力するためのインターフェースであって、上記音声入力ジャック１１に挿入して結合する音声入力プラグ３２とを有してなる。音声入力ジャック１１は、音源３０の音声入力プラグ３２が引き抜かれると信号側端子が接地する構成を有している。
【手続補正８】
【補正対象書類名】明細書
【補正対象項目名】００２２
【補正方法】変更
【補正の内容】
【００２２】
ノイズキャンセル用ヘッドホンアンプ１４の出力インピーダンスも、音楽再生用ヘッドホンアンプ３１の出力インピーダンスと同様であって、０．５から１Ω程度であるので、スピーカユニット１２の端子１２１からみると、ノイズキャンセル用ヘッドホンアンプ１４に接続していても、接地されていても大きな違いはなく、それ故に、ノイズキャンセル機能を停止した場合であっても、音楽信号の音量や音質に影響を与えることなく、音楽を出力することができ、ノイズキャンセルヘッドホンであっても、通常のヘッドホンと変わることなく高品質な音楽を聴くことができる。
【手続補正９】
【補正対象書類名】明細書
【補正対象項目名】００２３
【補正方法】変更
【補正の内容】
【００２３】
図４は、上記ヘッドホンユニット１０において、上記切り換えスイッチ１３を固定接点１３１側に切り換えてノイズキャンセル動作を行ない、かつ、音声入力ジャック１１から音源３０の音声入力プラグ３２を引き抜いたときの状態を等価的に示すブロック図である。既に説明したとおり、音声入力ジャック１１は、音声入力プラグ３２が挿入されていないときは信号側端子が接地する構造を有しているので、音声入力ジャック１１を介して端子１２２は接地されることになる。端子１２１には、ノイズキャンセル用ヘッドホンアンプ１４を介してノイズキャンセル信号発生回路１５が接続されるので、スピーカユニット１２は、ノイズＮにより生成されたキャンセル信号によってのみ駆動されることになる。既に説明したとおり、音楽再生用ヘッドホンアンプ３１の出力インピーダンスは通常０．５から１Ω程度であるので音声入力ジャック１１を介して接地されても、端子１２２からみると大きな違いはなく、それ故、音源３０を接続することなくノイズキャンセル機能のみを使用する場合であっても、高いノイズキャンセル効果を発揮するノイズキャンセル専用ヘッドホンとして利用することができる。
【手続補正１０】
【補正対象書類名】明細書
【補正対象項目名】００２６
【補正方法】変更
【補正の内容】
【００２６】
すでに説明したとおり、音声入力プラグ３２が挿入されているときは、端子１２２が音声入力ジャック１１において接地されず、音声入力プラグ３２の他方の端子によって開放されている高インピーダンス状態となる。このままではノイズキャンセル用ヘッドホンアンプ１４によってスピーカユニット１２を駆動することはできない。そこで、本発明に係るヘッドホンユニット１０は、上記端子１２２にダミー抵抗１６を予め接続しておき、音声入力プラグ３２が挿入されたままで音楽再生用ヘッドホンアンプ３１との接続が切り離されたときはダミー抵抗１６によって端子１２２が接地されるので、スピーカユニット１２をノイズキャンセル信号のみで駆動することができる。
【手続補正１１】
【補正対象書類名】明細書
【補正対象項目名】００２９
【補正方法】変更
【補正の内容】
【００２９】
次に、本発明に係るノイズキャンセルヘッドホンに用いることができるヘッドホンユニットの別の実施形態について図６の機能ブロック図を用いて説明する。図６において、既に説明したヘッドホンユニット１０と同じ構成については、同じ符号を用いている。ヘッドホンユニット１０ａは、２つの入力端子を有するスピーカユニット１２を有している。このスピーカユニット１２の一方の端子１２１に接続する構成はヘッドホンユニット１０と同様である。他方の端子１２２に接続する回路がヘッドホンユニット１０とは異なる。ヘッドホンユニット１０ａの端子１２２には、音声入力ジャック１１との間に音楽信号の入力を検出して２つの電子スイッチを制御する音声信号検出回路１７、音声信号検出回路１７からの指示により接点を閉じるメーク接点を有する電子スイッチ１８、音声信号検出回路１７からの指示により接点を開くブレーク接点を有する電子スイッチ１９、及び、端子１２２に接続する回路を切り換える切り換えスイッチ１３ｂを有している。
【手続補正１２】
【補正対象書類名】明細書
【補正対象項目名】００３０
【補正方法】変更
【補正の内容】
【００３０】
切り換えスイッチ１３ｂは、可動接点１３６が音声入力ジャック１１に接続され、第１の固定接点である固定接点１３４は音声信号検出回路１７に接続されている。また、第２の固定接点である固定接点１３５は電子スイッチ１８をバイパスする配線に接続されている。切り換えスイッチ１３ｂは切り換えスイッチ１３ａと連動するスイッチであって、切り換えスイッチ１３ａの可動接点１３３が固定接点１３２側にあるときは、切り換えスイッチ１３ｂの可動接点１３６は固定接点１３５側に接続する。また、可動接点１３３が固定接点１３１側にあるときは可動接点１３６が固定接点１３４側に接続する。
【手続補正１３】
【補正対象書類名】明細書
【補正対象項目名】００３３
【補正方法】変更
【補正の内容】
【００３３】
次に、ヘッドホンユニット１０ａにおいて、ノイズキャンセル機能を動作させるために、上記切り換えスイッチ１３ａの可動接点１３３を固定接点１３１側に切り換えたときの状態を図８に示す。切り換えスイッチ１３ｂは切り換えスイッチ１３ａに連動するので、可動接点１３３が固定接点１３１側にあるときは、可動接点１３６は固定接点１３４側にあり、音声信号検出回路１７が音声入力ジャック１１を介して音源３０に接続される。ここで、音源３０から音楽信号が入力されていないときは、音声信号検出回路１７は制御信号を出力せず、メーク接点である電子スイッチ１８は開放されたままであり、ブレーク接点である電子スイッチ１９は閉じたままとなる。
【手続補正１４】
【補正対象書類名】明細書
【補正対象項目名】００３６
【補正方法】変更
【補正の内容】
【００３６】
従って、ノイズキャンセル用ヘッドホンアンプ１４と、音源３０が有する音楽再生用ヘッドホンアンプ３１によって、あたかもＢＴＬアンプのように、スピーカユニット１２を駆動することができ、スピーカユニット１２は双方の入力信号（キャンセル信号と音楽信号）に基づく再生音を出力することができる。
【手続補正１５】
【補正対象書類名】明細書
【補正対象項目名】００４３
【補正方法】変更
【補正の内容】
【００４３】
次に、本発明に係るノイズキャンセルヘッドホンに用いることができるヘッドホンユニットの別の実施形態について図１１の機能ブロック図を用いて説明する。ヘッドホンユニット１０ｃは、２つの端子（１２１と１２２）を有するスピーカユニット１２と、このスピーカユニット１２に一方の端子１２１に接続する回路を切り換える切り換えスイッチ１３ａ、この切り換えスイッチ１３ａを介して端子１２１に接続するノイズキャンセル用ヘッドホンアンプ１４、マイクユニット５０が集音したノイズＮを元にキャンセル信号を生成して出力するノイズキャンセル信号発生回路１５を有し、スピーカユニット１２のもう一方の端子１２２に接続する回路を切り換える切り換えスイッチ１３ｂ、音源３０を接続させる音声入力ジャック１１ｃ、増幅度が略１倍であって、音源３０から入力された音楽信号を増幅することなく出力する音楽信号用ヘッドホンアンプ２１、を有している。
【手続補正１６】
【補正対象書類名】明細書
【補正対象項目名】００４５
【補正方法】変更
【補正の内容】
【００４５】
切り換えスイッチ１３ｃは、可動接点１３９が端子１２２に接続され、第１の固定接点である固定接点１３７は音楽信号用ヘッドホンアンプ２１に接続されている。また、第２の固定接点である固定接点１３８は音楽信号用ヘッドホンアンプ２１をバイパスして音声入力ジャック１１ｃに直接つながる配線に接続されている。切り換えスイッチ１３ｃは切り換えスイッチ１３ａと連動するスイッチであって、切り換えスイッチ１３ａの可動接点１３３が固定接点１３２側にあるときは、切り換えスイッチ１３ｃの可動接点１３９は固定接点１３８側に接続する。また、可動接点１３３が固定接点１３１側にあるときは可動接点１３９が固定接点１３７側に接続する。
【手続補正１７】
【補正対象書類名】図面
【補正対象項目名】図８
【補正方法】変更
【補正の内容】
【図８】
2009135874.tif 000001